(57)【要約】【課題】表面の摩耗や図柄の剥離を防ぎ、塵埃等が表面に付着するのを軽減すると共に、点灯用の交流電源を必要とせず、暗闇で長時間高輝度に自然発光することができる路面用標示板を提供すること。【解決手段】道路や路側帯等の路面に埋設または敷設される標示板（１）であって、該標示板（１）は、ライナー紙（３）とアルミフォイル（４）とを接着剤（５）にて接着し、かかるアルミフォイル（４）の表面にバインダー（６）を介在させてガラス球（７）を設けた基材（２）の表面に、単一あるいは多成分系の金属酸化物ガラス膜により形成されるガラス膜層（１０）を設けたことを特徴とする。【選択図】      図１
2004278274.tif 000002
【特許請求の範囲】
【請求項１】
道路や路側帯等の路面に埋設または敷設される標示板であって、該標示板は、ライナー紙とアルミフォイルとを接着剤にて接着し、かかるアルミフォイルの表面にバインダーを介在させてガラス球を設けた基材の表面に、単一あるいは多成分系の金属酸化物ガラス膜により形成されるガラス膜層を設けたことを特徴とする路面用標示板。
【請求項２】
前記ガラス膜層は、加水分解可能な有機金属化合物を、水と有機溶媒の反応液中で、ホウ素イオンの存在下、ハロゲンイオンを触媒にしｐＨを４．５ないし５．０に調整しつつ加水分解、脱水縮合して反応生成物を生成し、２００度以下の温度でガラス化してなる膜層により形成したことを特徴とする請求項１記載の路面用標示板。
【請求項３】
前記基材とガラス膜層との間に、周囲の光を蓄え自然発光可能な蓄光剤による発光膜層を介在させた請求項１記載の路面用標示板。
【請求項４】
前記標示板は、自転車停止用の標示板である請求項１乃至３記載の路面用標示板。
【請求項５】
前記標示板は、たばこ投げ捨て禁止用の標示板である請求項１乃至３記載の路面用標示板。
【発明の詳細な説明】
【０００１】
【発明の属する技術分野】
本発明は、道路や路側帯等の路面に埋設または敷設される標示板であって、特に、表面の摩耗や汚れの付着を防ぐと共に、暗闇で長時間高輝度に自然発光することができる路面用標示板に関する。
【０００２】
【従来の技術】
従来より、路面に設置される標示板においては、車両や歩行者のための道路標示板や、禁煙地域や駐輪区域等の規制を記載した標示板がある。また特に、暗闇で発光することにより、夜間における交通安全上に果たす役割を大きくさせた路面埋込用発光道路標識がある（例えば、特許文献１参照）。
【０００３】
【特許文献１】
特開平１１−１６６２１３号公報  （第１−３頁、図１）
【０００４】
【発明が解決しようとする課題】
上記特許文献１の路面埋込用発光道路標識は、透明ポリカーボネート樹脂製基板の表面に多数の凹凸が形成されていると共に、裏面全面に凹部が形成されており、該凹部内にエレクトロルミネッセンスパネル、シリコン樹脂及び裏蓋が順次嵌め込まれていることにより形成されている。しかし、前記の道路標識においては、エレクトロルミネッセンスパネルを発光させるために点灯用の交流電源や太陽電池等の電源が必要となるため、稼働コストが必要で製造コストも割高になるという問題があった。
【０００５】
そこで本発明は上記の点に鑑み、表面の摩耗や図柄の剥離を防ぎ、塵埃等が表面に付着するのを軽減すると共に、点灯用の交流電源を必要とせず、暗闇で長時間高輝度に自然発光することができる路面用標示板を提供することにある。
【０００６】
【課題を解決するための手段】
上記課題を解決するために、本発明は、道路や路側帯等の路面に埋設または敷設される標示板であって、該標示板は、ライナー紙とアルミフォイルとを接着剤にて接着し、かかるアルミフォイルの表面にバインダーを介在させてガラス球を設けた基材の表面に、単一あるいは多成分系の金属酸化物ガラス膜により形成されるガラス膜層を設けたことを特徴とする。そのため、屋外に長期間設置しても、表面が摩耗したり図柄が剥離することがなく、さらに表面に塵埃が付着することを軽減して外観的劣化を防ぐことができる。
【０００７】
また、金属酸化物ガラス膜により形成されるガラス膜層を、加水分解可能な有機金属化合物を、水と有機溶媒の反応液中で、ホウ素イオンの存在下、ハロゲンイオンを触媒にしｐＨを４．５ないし５．０に調整しつつ加水分解、脱水縮合して反応生成物を生成し、２００度以下の温度でガラス化してなる膜層により形成する。
【０００８】
また、前記基材とガラス膜層との間に、周囲の光を蓄え自然発光可能な蓄光剤による発光膜層を介在させたことにより、標示板が暗闇で高輝度に長時間自然発光するため、夜間において識別力や安全性を高めることができる。
【０００９】
さらに、本発明の路面用標示板を自転車停止用の標示板やたばこ投げ捨て禁止用の標示板とすることにより、夜間に発生する自転車との接触事故やたばこ投げ捨てによる火災発生等を解消できる。
【００１０】
【発明の実施の形態】
次に、本発明の路面用標示板の実施の形態を図面に基づいて説明する。なお、図１は本発明の路面用標示板の拡大断面図、図２は路面用標示板を路面内に埋設した状態、図３は路面用標示板を路面上に敷設した状態、図４は他の好適例を示す路面用標示板の拡大断面図、図５は一部を欠切した自転車停止用の標示板、図６は一部を欠切したたばこ投げ捨て禁止用の標示板をそれぞれ表す。
【００１１】
図１に示す本発明の路面用標示板は、道路や路側帯等の路面に埋設または敷設されるもので、標示板１は、基材２の表面に、単一あるいは多成分系の金属酸化物ガラス膜により形成されるガラス膜層１０を設けたことを特徴とする。
【００１２】
前記基材２は、ライナー紙３と薄い柔軟性のアルミフォイル４とを接着剤５を介して接着し、かかるアルミフォイル４の表面にバインダー６を介在させ、高反射率のガラス球７を均一に設けた（塗布）ことにより形成される。
【００１３】
ガラス膜層１０は、前記基材２の表面をコーティングするように設けられる、単一あるいは多成分系の金属酸化物ガラス膜からなっている。そして、この金属酸化物ガラスからなるガラス膜層１０の表面は、通常のガラス表面と同様に極めて滑らかである上に、鏡の表面のように光を反射するきらきらと輝く充分な光沢を有している。
【００１４】
また、このガラス膜層１０は光透過性にも優れており、ガラス膜層１０内を通過する光が有する光力をなんら減光することがない。また、ガラス膜層１０は耐候性も極めて優れており、長期間屋外で風雨に晒されてもガラス自体が変色あるいは白濁することがなく、さらに塵埃や煤煙等が内部へと浸透することがく、外観的に劣化することがない。
【００１５】
また、前記ガラス膜層１０を形成する金属酸化物ガラスは、酸化チタンや酸化ケイ素と同様に光触媒効果があることが確認されている。周知のように光触媒効果は、光を受光した際に汚れ物質や臭い物質を分解除去することができるため、標示板１の表面に光触媒効作用を施すことにより、汚れの発生が抑えられると共に、表面が摩耗したり図柄が剥離することがない。
【００１６】
前記ガラス膜層１０を形成するには、予め、加水分解可能な有機金属化合物を、水と有機溶媒の反応液中で、ホウ素イオンの存在下、ハロゲンイオンを触媒にしｐＨを４．５ないし５．０に調整しつつ加水分解、脱水縮合して反応生成物を生成しておく。そして、この反応生成物を前記基材２の表面に所定厚み分塗布し、２００度以下の温度でガラス化させることによりガラス膜を形成する。なお、この金属酸化物ガラスの形成方法は、特開平６−１９９５２８号公報（特許第２５３８５２７号）に記載された公知の技術である。
【００１７】
なお、前記ガラス膜層１０は、適宜希釈して汎用のスプレーにて噴霧することにより、基材２の表面に容易に施すことができる。
【００１８】
また、他の好適例として、図４に示すように、前記基材２とガラス膜層１０との間に、周囲の光を蓄え自然発光可能な蓄光剤による発光膜層１１を介在させた。
【００１９】
発光膜層１１は、光を蓄え自然発光が可能な蓄光剤からなっていて、この蓄光剤は、周知の金属化合物や希土類を複数混合し汎用の展色剤を混合して形成するものである。この発光膜層１１の層幅は、日没後、周囲が暗くなても周囲の状況を確認するのに充分な光力を放つことが可能で、さらに夜が明けるまで光を放出し続ける充分な発光時間（約１０時間）を確保するために必要な厚み、１０ｃｍ四方に対し３ないし５ｇの蓄光剤を散布して形成される層幅を有している。
【００２０】
前記発光膜層１１を例えば図柄部分ａに設けることにより、図柄の周囲が暗闇で高輝度に長時間自然発光するため、標示板１の存在感や識別力を高めることができる。
【００２１】
また、前記標示板１は、図２に示すように、道路や路側帯等の路面内に埋設したり、図３に示すように、道路や路側帯等の路面上に敷設して使用される。
【００２２】
また、他の好適例として、図５に示すように、本発明の路面用標示板を自転車停止用の標示板Ａとすることが好ましい。かかる標示板Ａは、図柄ａ上に発光膜層１１が設けられており、さらに図柄ａおよび基材２の全面上にガラス膜層１０が施されている。そのため、前記標示板Ａを十字路や接触事故が多発する路面に埋設もしくは敷設することにより、標示板Ａの存在感や識別力が高まり、夜間に発生する事故も軽減される。
【００２３】
また、他の好適例として、図６に示すように、本発明の路面用標示板を、たばこ投げ捨て（ポイ捨て）禁止用の標示板Ｂとすることが好ましい。かかる標示板Ｂは、図柄ａ上に発光膜層１１が設けられており、さらに図柄ａおよび基材２の全面上にガラス膜層１０が施されている。そのため、前記標示板Ｂを条例で制定されたたばこ投げ捨て区域の路面に埋設もしくは敷設することにより、標示板Ｂの存在感や識別力が高まり、地域の美化が図れると共に、たばこ投げ捨てによる火災発生を未然に防ぐことができる。
【００２４】
【発明の効果】
以上説明してきたように、本発明の路面用標示板は、上述により以下に示す効果を奏するものである。
【００２５】
道路や路側帯等の路面に埋設または敷設される標示板であって、該標示板は、ライナー紙とアルミフォイルとを接着し、かかるアルミフォイルの表面にバインダーを介在させてガラス球を設けた基材の表面に、単一あるいは多成分系の金属酸化物ガラス膜により形成されるガラス膜層を設けたことを特徴とするため、屋外に長期間設置しても、表面が摩耗したり図柄が剥離することがなく、さらに表面に塵埃が付着することを軽減して外観的劣化を防ぐことができる。
【００２６】
また、前記基材とガラス膜層との間に、周囲の光を蓄え自然発光可能な蓄光剤による発光膜層を介在させたことにより、標示板が暗闇で高輝度に長時間自然発光するため、夜間において識別力や安全性を高めることができる。
【００２７】
さらに、本発明の路面用標示板を自転車停止用の標示板やたばこ投げ捨て禁止用の標示板とすることにより、夜間に発生する自転車との接触事故やたばこ投げ捨てによる火災発生等を解消できる。
【図面の簡単な説明】
【図１】本発明の路面用標示板の拡大断面図である。
【図２】路面用標示板を路面内に埋設した断面図である。
【図３】路面用標示板を路面上に敷設した断面図である。
【図４】他の好適例を示す路面用標示板の拡大断面図である。
【図５】一部を欠切した自転車停止用の標示板の斜視図である。
【図６】一部を欠切したたばこ投げ捨て禁止用の標示板の斜視図である。
【符号の説明】
１・・・標示板
２・・・基材
３・・・ライナー紙
４・・・アルミフォイル
５・・・接着剤
６・・・バインダー
７・・・ガラス球
１０・・ガラス膜層
１１・・発光膜層
ａ・・・図柄
Ａ・・・自転車停止用の標示板
Ｂ・・・たばこ投げ捨て禁止用の標示板
【図１】
2004278274.tif 000003
【図２】
2004278274.tif 000004
【図３】
2004278274.tif 000005
【図４】
2004278274.tif 000006
【図５】
2004278274.tif 000007
【図６】
2004278274.tif 000008